(57)【特許請求の範囲】
【請求項１】
予め設定された時間間隔毎に周波数を所定の間隔で変更しながら、第１の正弦波と、前記第１の正弦波と位相が９０度異なる第２の正弦波とを発生させる正弦波発生部と、
複数のフィルタ係数が記憶され、前記複数のフィルタ係数のうちいずれかを設定可能であり、前記設定されたフィルタ係数で前記第１及び第２の正弦波に対してフィルタ処理を行うフィルタ部と、
前記フィルタ処理後の第１及び第２の正弦波を第１及び第２のアナログ信号に変換するデジタル−アナログ変換部と、
前記第１及び第２のアナログ信号を直交変調し、前記第１及び第２の正弦波が発生される周波数に応じた変調信号を生成する直交変調部と
を具備し、
前記複数のフィルタ係数は、前記直交変調部におけるＩＱ信号のスキュー差を補正する範囲及び解像度に必要な遅延差を持ち、
前記フィルタ部において、前記記憶される複数のフィルタ係数のうち前記スキュー差を補正可能なフィルタ係数が設定される場合、前記変調信号における前記スキュー差による影響が解消されることを特徴とする励振器。
【請求項２】
入力信号をベースバンド帯のＩ信号及びＱ信号に変換する変調処理部をさらに具備し、
前記フィルタ部は、前記複数の周波数に応じた変調信号のスペクトラム解析の結果に基づいて設定される、前記直交変調部におけるＩＱ信号のスキュー差を補正するのに適したフィルタ係数により、前記Ｉ信号及びＱ信号をフィルタ処理し、
前記デジタル−アナログ変換部は、前記フィルタ処理されたＩ信号及びＱ信号を第３及び第４のアナログ信号に変換し、
前記直交変調部は、前記第３及び第４のアナログ信号を直交変調することを特徴とする請求項１記載の励振器。
【請求項３】
スペクトラムアナライザに接続可能であることを特徴とする請求項１又は２記載の励振器。
【請求項４】
予め設定された時間間隔毎に周波数を所定の間隔で変更しながら、第１の正弦波と、前記第１の正弦波と位相が９０度異なる第２の正弦波とを発生し、
直交変調部におけるＩＱ信号のスキュー差を補正する範囲及び解像度に必要な遅延差を持つ複数のフィルタ係数を予め記憶し、
前記複数のフィルタ係数のうち、設定されるいずれかのフィルタ係数により、前記第１及び第２の正弦波に対してフィルタ処理を行い、
前記フィルタ処理後の第１及び第２の正弦波を第１及び第２のアナログ信号に変換し、
前記第１及び第２のアナログ信号を直交変調し、前記第１及び第２の正弦波を発生する周波数に応じた変調信号を生成し、
前記生成した変調信号を、スペクトラムアナライザへ出力し、
前記記憶する複数のフィルタ係数のうち前記スキュー差を補正可能なフィルタ係数が設定される場合、前記変調信号における前記スキュー差による影響が解消されることを特徴とする直交誤差補正方法。
【請求項５】
前記スペクトラムアナライザにおける前記複数の周波数に応じた変調信号のスペクトラム解析の結果に基づき、前記直交変調の際のＩＱ信号のスキュー差を補正するのに適したフィルタ係数が設定されると、入力信号に基づいて変換したベースバンド帯のＩ信号及びＱ信号を、前記設定されたフィルタ係数によりフィルタ処理を行い、
前記フィルタ処理後のＩ信号及びＱ信号を第３及び第４のアナログ信号に変換し、
前記第３及び第４のアナログ信号を直交変調することを特徴とする請求項４記載の直交誤差補正方法。
【発明の詳細な説明】
【技術分野】
【０００１】
本発明の実施形態は、ダイレクトコンバージョン方式を採用する送信機で用いられる励振器及びこの励振器で用いられる直交誤差補正方法に関する。
【背景技術】
【０００２】
ダイレクトコンバージョン方式では、ベースバンド帯のＩＱ信号を直接ＲＦ（Radio Frequency）信号に変換する。このとき、アナログ直交変復調器の振幅・位相誤差及びＤＣオフセットにより、信号品質が劣化するおそれがある。また、送信機がＤＰＤ（Digital Pre-Distortion）を有する場合には、アナログ直交変復調器の振幅・位相誤差及びＤＣオフセットにより、ＤＰＤの非線形歪補償性能が劣化するおそれがある。このような問題を回避するため、アナログ直交変復調器による直交誤差をデジタル信号処理を用いて推定する方法が広く検討されている。
【０００３】
ところで、直交誤差を推定する際、直交誤差は、周波数依存性がないものとして考えられている。しかしながら、アナログ直交変復調器のＥＶＭ（Error Vector Magnitude）を実際に測定すると、直交誤差によるイメージが残留することが観測される。イメージが残留する問題の原因としては、測定系の周波数特性が考えられ、非特許文献１では、周波数依存性を持つ直交変復調器誤差（Frequency Dependent IQ Imbalance）の推定・補正方法が紹介されている。
【０００４】
現状の製品では、ＩチャネルとＱチャネルとのスキューの差に基づく直交誤差の周波数依存性によりイメージの残留が生じている。スキュー差は１００ｐｓｅｃ程度であるため、アナログ回路によりスキュー差の発生を抑えることは難しい。このため、デジタル信号処理でスキュー差を補正することになるが、１００ｐｓｅｃの遅延差を測定することは難しく、ＭＥＲ（Modulation Error Ratio）、又は、ＥＶＭ等の測定が必要になる。例えば、ＩＳＤＢＴ方式では、キャリア毎のＭＥＲを測定できる測定器がある。この測定器により測定したＭＥＲの周波数特性を利用し、スキュー差を補正することが可能である。しかしながら、このようなＭＥＲの周波数特性を測定できる測定器は限られている。あるいは、例えばＣＭＭＢ方式等の放送方式によっては、キャリア毎のＭＥＲを測定できる測定器は存在しないため、スキュー差を補正できない。
【先行技術文献】
【特許文献】
【０００５】
【特許文献１】特開平９−２４７２２５号公報
【非特許文献】
【０００６】
【非特許文献１】Lei Ding, Zhengxiang Ma, Dennis R. Morgan, Mike Zierdt and G. Tong Zhou, “Frequency Dependent Modulator Imbalance in Predistortion Linearization Systems: Modeling and Compensation,” Signals, Systems and Computers, 2003. Conference Record of the Thirty-Seventh Asilomar Conference on, vol. 1, no., pp. 688-692 Vol. 1, 9-12 Nov. 2003.
【発明の概要】
【発明が解決しようとする課題】
【０００７】
以上のように、ＩチャネルとＱチャネルとのスキューの差は、ＭＥＲ又はＥＭＶの周波数特性を測定できる測定器があれば補正することが可能であるが、このような測定器は一般的でなく、放送方式によっては存在しない場合もある。
【０００８】
そこで、目的は、ＭＥＲ又はＥＭＶの周波数特性を測定しなくてもスキュー差を補正することが可能な励振器、及び、この励振器で用いられる直交誤差補正方法を提供することにある。
【課題を解決するための手段】
【０００９】
実施形態によれば、励振器は、正弦波発生部、フィルタ部、デジタル−アナログ変換部、直交変調部を具備する。正弦波発生部は、予め設定された時間間隔毎に周波数を所定の間隔で変更しながら、第１の正弦波と、前記第１の正弦波と位相が９０度異なる第２の正弦波とを発生させる。フィルタ部は、複数のフィルタ係数が記憶され、前記複数のフィルタ係数のうちいずれかを設定可能であり、前記設定されたフィルタ係数で前記第１及び第２の正弦波に対してフィルタ処理を行う。デジタル−アナログ変換部は、前記フィルタ処理後の第１及び第２の正弦波を第１及び第２のアナログ信号に変換する。直交変調部は、前記第１及び第２のアナログ信号を直交変調し、前記第１及び第２の正弦波が発生される周波数に応じた変調信号を生成する。
【図面の簡単な説明】
【００１０】
【図１】本実施形態に係る励振器の機能構成を示すブロック図である。
【図２】図１に示す励振器が、ＩＱ信号のスキュー差を補正するためのフィルタ係数を設定する際のシーケンス図を示す図である。
【図３】図１のスペクトラムアナライザに表示される変調信号のスペクトラムを示す図である。
【図４】図１のスペクトラムアナライザに表示される変調信号のスペクトラムを示す図である。
【図５】図１のスペクトラムアナライザに表示される変調信号のスペクトラムを示す図である。
【図６】スキュー差が補正されていない場合のＭＥＲの測定結果を示す図である。
【図７】スキュー差が補正された場合のＭＥＲの測定結果を示す図である。
【発明を実施するための形態】
【００１１】
以下、実施の形態について、図面を参照して説明する。
【００１２】
図１は、本実施形態に係る励振器１０の機能構成を示すブロック図である。図１に示す励振器１０は、変調処理部１１、切替器１２、正弦波発生部１３、フィルタ部１４、デジタル−アナログ変換部１５−１，１５−２、直交変調部１６、シンセサイザ１７及び制御部１８を具備する。
【００１３】
変調処理部１１は、入力されるＴＳ（Transport Stream）信号に対して伝送路符号化処理及びデジタル変調処理を行い、ＴＳ信号をベースバンド帯のＩ信号及びＱ信号へ変換する。変調処理部１１は、Ｉ信号及びＱ信号を切替器１２へ出力する。
【００１４】
正弦波発生部１３は、ＮＣＯ（Numerically Controlled Oscillator）１３１及びカウンタ１３２を備える。
【００１５】
ＮＣＯ１３１は、カウンタ１３２により設定される設定値ｐｈｉに従った周波数の第１の正弦波と、第１の正弦波の位相と位相が９０度異なる第２の正弦波とを作成する。ＮＣＯ１３１は、作成した第１及び第２の正弦波を切替器１２へ出力する。
【００１６】
カウンタ１３２は、予め設定された時間間隔で、設定値ｐｈｉを所定の間隔でインクリメントし、インクリメントした設定値ｐｈｉをＮＣＯ１３１へ通知する。設定値ｐｈｉをインクリメントする所定の間隔とは、設定値ｐｈｉをインクリメントすることにより生じる正弦波の周波数の差が、スペクトラムアナライザ２０の分解能を超えず、かつ、操作者が要望する分解能を満たす間隔である。また、カウンタ１３２は、操作者が所望する帯域内で、設定値ｐｈｉを繰り返してインクリメントする。例えば、カウンタ１３２は、所望の帯域の最大周波数を指定する設定値ｐｈｉを設定したのち、この帯域の最小周波数を指定する設定値ｐｈｉへ、設定値ｐｈｉをインクリメントする。
【００１７】
切替器１２は、変調処理部１１から供給されるＩ信号及びＱ信号と、正弦波発生部１３から供給される第１及び第２の正弦波とのうち、制御部１８からの指示に応じた一方の信号をフィルタ部１４へ選択的に出力する。すなわち、切替部１２は、制御部１８から、出力を第１及び第２の正弦波へ切り替える旨の第１の切替信号を受信すると、フィルタ部１４へ第１及び第２の正弦波を出力する。また、切替器１２は、制御部１８から、出力をＩ信号及びＱ信号へ切り替える旨の第２の切替信号を受信すると、フィルタ部１４へＩ信号及びＱ信号を出力する。
【００１８】
フィルタ部１４は、例えば、ＦＩＲ（Finite Impulse Response）フィルタである。フィルタ部１４の内部メモリには、ＩＱスキュー差を補正する範囲及び解像度に必要な遅延差を持つ複数のフィルタ係数が予め記録されている。なお、解像度とは、スキュー差を評価する上での時間差の最小単位を意味し、例えば、１ｎｓｅｃを１００ｐｓｅｃ毎に１０段階でフィルタ係数を切り替えるようにする。
【００１９】
フィルタ部１４は、複数のフィルタ係数のうち制御部１８からの指定信号に従ったフィルタ係数を用い、切替器１２から供給される第１及び第２の正弦波に対してフィルタ処理を行う。第１及び第２の正弦波へのフィルタ処理の結果に基づいて、最適なフィルタ係数が設定される。
【００２０】
また、フィルタ部１４は、複数のフィルタ係数のうち、設定されているフィルタ係数を用いて、切替器１２から供給されるＩ信号及びＱ信号のフィルタ処理を実行する。フィルタ部１４は、フィルタ処理後の信号をデジタル−アナログ変換部１５−１，１５−２へ出力する。
【００２１】
デジタル−アナログ変換部１５−１，１５−２は、フィルタ部１４から供給される信号を第１及び第２のアナログ信号に変換し、直交変調部１６へ出力する。
【００２２】
直交変調部１６は、シンセサイザ１７で作成されるキャリア信号を、デジタル−アナログ変換部１５−１，１５−２から供給される第１及び第２のアナログ信号によりそれぞれ変調し、変調したキャリア信号を合成して変調信号として後段へ出力する。図１に示すように、後段にスペクトラムアナライザ２０が接続されている場合、直交変調部１６は、接続されるスペクトラムアナライザ２０へ変調信号を出力する。
【００２３】
以下に、ＩＱ信号のスキュー差が直交誤差へ与える影響を説明する。ＲＦ（Radio Frequency）帯（周波数ｆｃ=ωｃ／２π）の送信信号を
【数１】
0005606493.tif 000002
【００２４】
とする。このとき、Ｑチャネル側にＩチャネル側との相対時間差Δｔがあるとすると送信信号は、
【数２】
0005606493.tif 000003
【００２５】
となる。ここで、送信信号に対してスペクトル解析を行う。Ｉチャネルの時間信号のフーリエ変換結果を
【数３】
0005606493.tif 000004
【００２６】
とし、Ｑチャネルの時間信号のフーリエ変換結果を、
【数４】
0005606493.tif 000005
【００２７】
とすると、送信信号のフーリエ変換結果は、
【数５】
0005606493.tif 000006
【００２８】
となる。数式（５）の第３項及び第４項は、ω＜０であるため直交変調後のＲＦ領域では無視できる。数式（５）の第２項がスキュー差の影響を受ける。第２項からＱ側の周波数領域信号に対して、位相特性ｅ−ｊ（ω−ωｃ）Δｔがかかっていることがわかる。これにより、Ｑ側の周波数領域信号の位相がｅ−ｊ（ω−ωｃ）Δｔだけずれることにより、本来Ｉ側の信号と、Ｑ側の信号とで打ち消しあうものが打ち消されずに残留し、その結果、イメージが生じることとなる。
【００２９】
制御部１８は、操作者により、励振器１０がフィルタ係数を設定可能な第１の状態となるように要求された場合、第１及び第２の正弦波をフィルタ部１４へ出力する旨の第１の切替信号を作成し、第１の切替信号を切替器１２へ出力する。
【００３０】
また、制御部１８は、第１の状態において、操作者からフィルタ係数が指定された場合、指定されたフィルタ係数をフィルタ部１４へ通知する指定信号を作成し、指定信号をフィルタ部１４へ出力する。
【００３１】
また、制御部１８は、操作者から、励振器１０が設定されたフィルタ係数でフィルタ処理を行う第２の状態となるように要求された場合、Ｉ信号及びＱ信号をフィルタ部１４へ出力する旨の第２の切替信号を作成し、第２の切替信号を切替器１２へ出力する。
【００３２】
スペクトラムアナライザ２０は、励振器１０から変調信号が供給される場合、供給される変調信号に対してスペクトラム解析を行い、解析結果を表示する。操作者は、解析結果を参照し、フィルタ係数の指定を励振器１０に対して行う。操作者は、フィルタ係数を指定すると、励振器１０が第２の状態となるように励振器１０へ状態の切り替えを要求する。
【００３３】
次に、以上のように構成された励振器１０が、ＩＱ信号のスキュー差を補正するためのフィルタ係数を設定する動作について説明する。
【００３４】
図２は、本実施形態に係る励振器１０が、ＩＱ信号のスキュー差を補正するためのフィルタ係数を設定する際のシーケンス図を示す。
【００３５】
まず、制御部１８は、操作者により、フィルタ係数を設定可能な第１の状態が要求されると（シーケンスＳ２１）、正弦波発生部１３で発生された第１及び第２の正弦波をフィルタ部１４へ出力するように、切替器１２へ第１の切替信号を出力する。（シーケンスＳ２２）。
【００３６】
切替器１２は、正弦波発生部１３で発生された周波数ｆ１の第１及び第２の正弦波をフィルタ部１４へ出力する（シーケンスＳ２３）。
【００３７】
フィルタ部１４は、周波数ｆ１の第１及び第２の正弦波を現在設定されているフィルタ係数Ｃ１を用いてフィルタ処理し（シーケンスＳ２４）、フィルタ処理後の第１及び第２の正弦波をデジタル−アナログ変換部１５−１，１５−２へ出力する（シーケンスＳ２５）。
【００３８】
デジタル−アナログ変換部１５−１，１５−２は、フィルタ処理後の第１及び第２の正弦波をそれぞれ第１及び第２のアナログ信号へ変換し、第１及び第２のアナログ信号を直交変調部１６へ出力する（シーケンスＳ２６）。
【００３９】
直交変調部１６は、第１及び第２のアナログ信号を直交変調し、変調信号をスペクトラムアナライザ２０へ出力する（シーケンスＳ２７）。
【００４０】
励振器１０は、設定値ｐｈｉをインクリメントさせて周波数ｆ１〜ｆｎまで変化させながら、シーケンスＳ２３〜Ｓ２７の処理を繰り返す。シーケンスＳ２３〜Ｓ２７の処理により、スペクトラムアナライザでは、図３に示すスペクトラムが表示される。図３において、周波数ｆ１でのシーケンスＳ２３〜Ｓ２７では、ｆ１’とｆ１”とが取得され、周波数ｆ２でのシーケンスＳ２３〜Ｓ２７では、ｆ２’とｆ２”とが取得され、周波数ｆｎでのシーケンスＳ２３〜Ｓ２７では、ｆｎ’とｆｎ”とが取得される。正の周波数ｆ１’〜ｆｎ’のスペクトラムは、直交誤差を含まない変調信号のスペクトラムを示す。直交誤差を含まない変調信号は、周波数特性を有さないため、このスペクトラムは、周波数が変化しても振幅が変化しない。一方、負の周波数ｆ１”〜ｆｎ”のスペクトラムは、直交誤差成分のスペクトラムを示す。直交誤差成分は周波数特性を有するため、このスペクトラムは、周波数が変化するとイメージ残留量が変化する。
【００４１】
操作者は、図３に示すスペクトラムを参照し、周波数によりイメージ残留量が変化しないように、励振器１０にフィルタ係数Ｃ２を指定する（シーケンスＳ２８）。
【００４２】
制御部１８は、フィルタ係数Ｃ２が操作者により指定されると、フィルタ係数Ｃ２を指定する指定信号をフィルタ部１４へ出力する（シーケンスＳ２９）。フィルタ部１４は、指定信号に従い、フィルタ係数Ｃ１からフィルタ係数Ｃ２へ変更する（シーケンスＳ２１０）。
【００４３】
励振器１０は、新たに設定したフィルタ係数Ｃ２を用い、周波数ｆ１の第１及び第２の正弦波に対し、シーケンスＳ２３〜Ｓ２７に対応するシーケンスＳ２１１〜Ｓ２１５の処理を実行する。励振器１０は、設定値ｐｈｉをインクリメントさせて周波数ｆ１〜ｆｎまで変化させながら、シーケンスＳ２１１〜Ｓ２１５の処理を繰り返す。シーケンスＳ２１１〜Ｓ２１５の処理により、スペクトラムアナライザでは、図４に示すスペクトラムが表示される。図４において、周波数ｆ１でのシーケンスＳ２１１〜Ｓ２１５では、ｆ１’とｆ１”とが取得され、周波数ｆ２でのシーケンスＳ２１１〜Ｓ２１５では、ｆ２’とｆ２”とが取得され、周波数ｆｎでのシーケンスＳ２１１〜Ｓ２１５では、ｆｎ’とｆｎ”とが取得される。フィルタ係数Ｃ１をフィルタ係数Ｃ２に切り替えることで、ＩＱ信号のスキュー差の一部が補正されている場合、図４に示すスペクトラムの周波数ｆ１”〜ｆｎ”での傾きは、図３に示すスペクトラムの周波数ｆ１”〜ｆｎ”での傾きより小さくなる。
【００４４】
操作者は、図４に示すスペクトラムを参照し、周波数によりイメージ残留量が変化しないように、励振器１０にフィルタ係数Ｃ３を指定する（シーケンスＳ２１６）。
【００４５】
制御部１８は、フィルタ係数Ｃ３が操作者により指定されると、フィルタ係数Ｃ３を指定する指定信号をフィルタ部１４へ出力する（シーケンスＳ２１７）。フィルタ部１４は、指定信号に従い、フィルタ係数Ｃ２からフィルタ係数Ｃ３へ変更する（シーケンスＳ２１８）。
【００４６】
励振器１０は、新たに設定したフィルタ係数Ｃ３を用い、周波数ｆ１の第１及び第２の正弦波に対し、シーケンスＳ２３〜Ｓ２７に対応するシーケンスＳ２１９〜Ｓ２２３の処理を実行する。励振器１０は、設定値ｐｈｉをインクリメントさせて周波数ｆ１〜ｆｎまで変化させながら、シーケンスＳ２１９〜Ｓ２２３の処理を繰り返す。シーケンスＳ２１９〜Ｓ２２３の処理により、スペクトラムアナライザでは、図５に示すスペクトラムが表示される。図５において、周波数ｆ１でのシーケンスＳ２１９〜Ｓ２２３では、ｆ１’とｆ１”とが取得され、周波数ｆ２でのシーケンスＳ２１９〜Ｓ２２３では、ｆ２’とｆ２”とが取得され、周波数ｆｎでのシーケンスＳ２１９〜Ｓ２２３では、ｆｎ’とｆｎ”とが取得される。フィルタ係数Ｃ２をフィルタ係数Ｃ３に切り替えることで、ＩＱ信号のスキュー差が補正されている場合、図４に示す周波数ｆ１”〜ｆｎ”でのスペクトラムは、周波数によりイメージ残留量が変化しなくなる。
【００４７】
操作者は、周波数ｆ１”〜ｆｎ”でのスペクトラムが、周波数によりイメージ残留量が変化していないと判断すると、フィルタ係数Ｃ３でフィルタ処理を行う第２の状態を要求する。
【００４８】
制御部１８は、操作者により、第２の状態が要求されると（シーケンスＳ２２４）、変調処理部１１で作成されたＩ信号及びＱ信号をフィルタ部１４へ出力するように、切替器１２へ第２の切替信号を出力する。（シーケンスＳ２２５）。
【００４９】
切替器１２は、変調処理部１１で作成されたＩ信号及びＱ信号をフィルタ部１４へ出力する（シーケンスＳ２２６）。
【００５０】
フィルタ部１４は、Ｉ信号及びＱ信号をシーケンスＳ２１〜Ｓ２２３の処理により設定されたフィルタ係数Ｃ３を用いてフィルタ処理し（シーケンスＳ２２７）、フィルタ処理後のＩ信号及びＱ信号をデジタル−アナログ変換部１５−１，１５−２へ出力する（シーケンスＳ２２８）。
【００５１】
デジタル−アナログ変換部１５−１，１５−２は、フィルタ処理後のＩ信号及びＱ信号をそれぞれ第１及び第２のアナログ信号へ変換し、第１及び第２のアナログ信号を直交変調部１６へ出力する（シーケンスＳ２２９）。
【００５２】
直交変調部１６は、第１及び第２のアナログ信号を直交変調し、変調信号を後段へ出力する（シーケンスＳ２３０）。
【００５３】
図６は、フィルタ部１４で最適なフィルタ係数が設定されていない場合に、直交変調部１６から出力される変調信号に基づいて測定される、キャリア毎のＭＥＲの測定結果を示す図である。また、図７は、フィルタ部１４で最適なフィルタ係数が設定されている場合に、直交変調部１６から出力される変調信号に基づいて測定される、キャリア毎のＭＥＲの測定結果を示す図である。図６及び図７において、横軸はキャリア周波数[Ｈｚ]を示し、縦軸は振幅[ｄＢ]を示す。図６及び図７から、図６で示されるイメージの残留が、図７では解消されていることがわかる。
【００５４】
なお、図２に示すシーケンス図では、周波数ｆ１〜ｆｎまで第１及び第２の正弦波の周波数を振る場合を例に説明したが、周波数ｆ１〜ｆｎの途中で直交誤差の周波数特性が確認できる場合は、操作者は、周波数ｆ１〜ｆｎの途中であっても、異なるフィルタ係数を指定してもかまわない。
【００５５】
以上のように、本実施形態では、正弦波発生部１３は、周波数を振りながら第１及び第２の正弦波を発生させ、発生させた第１及び第２の正弦波を切替器１２を介してフィルタ部１４へ出力する。フィルタ部１４は、操作者により指定されるフィルタ係数を用いて供給される第１及び第２の正弦波に対してフィルタ処理を行う。フィルタ処理後の第１及び第２の正弦波は、アナログ変換及び直交変調を経て、スペクトラムアナライザ２０にスペクトラムが表示される。操作者は、スペクトラムアナライザ２０での表示を確認しながら、直交誤差の周波数特性が解消されるように、フィルタ係数を指定する。このように、励振器１０は、周波数が振られて作成される第１及び第２の正弦波に、指定されたフィルタ係数を用いたフィルタ処理を行うことで、直交誤差の周波数特性をスペクトラムアナライザ２０に表示させることが可能となる。このため、操作者は、スペクトラムアナライザ２０に表示される直交誤差の周波数特性が解消されるようにフィルタ係数を指定するのみで、ＩＱ信号のスキュー差を補正することが可能なフィルタ係数を指定することが可能となる。励振器１０は、このように指定されたフィルタ係数を用い、Ｉ信号及びＱ信号に対してフィルタ処理を行い、ＩＱ信号のスキュー差を補正する。
【００５６】
したがって、本実施形態に係る励振器１０によれば、特別な測定器を用いてＭＥＲ又はＥＭＶ等の周波数特性を測定しなくても、スキュー差を補正することができる。
【００５７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５８】
１０…励振器、１１…変調処理部、１２…切替器、１３…正弦波発生部、１３１…ＮＣＯ、１３２…カウンタ、１４…フィルタ部、１５−１，１５−２…デジタル−アナログ変換部、１６…直交変調部、１７…シンセサイザ、１８…制御部、２０…スペクトラムアナライザ
【図１】
0005606493.tif 000007
【図２】
0005606493.tif 000008
【図３】
0005606493.tif 000009
【図４】
0005606493.tif 000010
【図５】
0005606493.tif 000011
【図６】
0005606493.tif 000012
【図７】
0005606493.tif 000013